(57)【要約】【課題】  片手作業や無理な操作姿勢をせず、また勘に頼ったり、他人の手を借りずに、美容や着付けでの容姿の身繕いを、容易且つ適切な態様に実施可能とし、特に側部や後背部の身繕いに有効な身繕い方法と安価で手軽に設備し得る身繕い用監視装置の提供。【解決手段】  動画撮影モードのオートフォーカス式デジタル撮像機１の撮影レンズ１ａと、焦点深度を深く保つ高輝度の照明灯２とを、美容、着付けの身繕いをするユーザーＨの人身の所望する目標被写部Ｐに向けて配し、前記オートフォーカス式デジタル撮像機１の撮像出力信号を、ユーザーＨの眼前に備えたディスプレイ装置７に入力して、該ディスプレイ装置７の表示画面７ａに表示される映像を視認しながら、ユーザーＨが人身の所望する目標彼写部Ｐを身繕う。【選択図】      図１
2006352815.tif 000002
【特許請求の範囲】
【請求項１】
美容、着付けの身繕いに当たって、動画撮影モードのオートフォーカス式デジタル撮像機の撮影レンズと、焦点深度を深く保つ高輝度の照明灯とを、美容、着付けの身繕いするユーザーの人身の所望する目標被写部に向けて配し、前記オートフォーカス式デジタル撮像機の撮像出力信号を、ユーザーの眼前に備えたディスプレイ装置に入力して、該ディスプレイ装置の表示画面に表示される映像を視認しながら、ユーザーが人身の所望する目標部を身繕うことを特徴とする美容、着付けの身繕い方法。
【請求項２】
美容、着付けの身繕いは、人身の側面部と後背部の少なくとも１つの身繕いであることを特徴とする請求項１に記載の美容、着付けの身繕い方法。
【請求項３】
動画撮影モードのオートフォーカス式デジタル撮像機は、デジタルカメラとデジタルカメラ内蔵携帯電話のいずれか一つであることを特徴とする請求項１に記載の美容、着付けの身繕い方法。
【請求項４】
動画撮影モードのオートフォーカス式デジタル撮像機と、焦点深度を深く保つ高輝度の照明灯とを笠内に着脱可能に配設した撮像集合部を、移動可能なスタンドに、目標彼写部に向けての方向と高さを調整可能に設備してなる撮像装置を、前記オートフォーカス式デジタル撮像機の出力信号を送信するＡＶケーブルによって、表示画面を有するディスプレイ装置に接続してなることを特徴とする身繕い用監視装置。
【請求項５】
動画撮影モードのオートフォーカス式デジタル撮像機は、デジタルカメラとデジタルカメラ内蔵携帯電話のいずれか一つであることを特徴とする請求項４に記載の美容、着付けの身繕い用監視装置。
【請求項６】
笠内に着脱可能に配設した撮像集合部のオートフォーカス式デジタル撮像機と、焦点深度を深く保つ高輝度の照明灯とは、照明灯の胴部にオートフォーカス式デジタル撮像機を着脱可能に固定一体化してなることを特徴とする請求項４に記載の美容、着付けの身繕い用監視装置。
【請求項７】
照明灯が蛍光灯と白色発光ダイオード懐中電灯とから選ばれる一つであることを特徴とする請求項４乃至請求項６のいずれか１項に記載の美容、着付けの身繕い用監視装置。
【発明の詳細な説明】
【技術分野】
【０００１】  本発明は、美容、着付け等に当たって容姿を身繕う方法と、これに使用する身繕い用監視装置に係わり、特に人身の側部及び後背部の整髪や着付けの身繕いを容易且つ適切に実施可能とした身繕い方法と、これに使用する身繕い用監視装置に関するものである。
【背景技術】
【０００２】  美容、着付け等に当たって容姿を身繕う方法にあっては、従来、手鏡や三面鏡を使用し、これらを身繕う容姿の目標部位に配置し、鏡面に写される像を視認しながら行っていた。
即ち、手鏡にあっては、顔の化粧に使用するほかに、正面に配した化粧鏡と組み合わせて、二重反射を利用して後頭部や側頭部の整髪に使用されている。
また、三面鏡にあっては、正面鏡による化粧、着付けの身繕いのほかに、正面鏡と側面鏡との組み合わせで形成される二重反射像及び三重反射像を利用して、後頭部や側頭部の整髪及び背中の帯締め等の後背部の身繕いに使用されている。【０００３】  然るに、上記した手鏡や三面鏡を使用する従来の美容、着付け等の容姿を身繕う方法には、次のような不都合があった。
手鏡を用いる方法にあっては、手鏡の操作に片手が使用されて塞がり、整髪等の身繕いを空き手となる片手で行う不便さが生じることとなっていた。
一方、三面鏡を用いる方法では、後頭部や側頭部の整髪及び背中の帯締め等の後背部の身繕いを両手で行うことが出来るが、正面鏡と左右の側面鏡とによる二重、三重の反射像を視認しながら身繕いを行うには、首や上体胴部を限度まで無理に捻る等、極めて不自然で無理な姿勢を執らざるを得ず、身体へ過度な労力や筋肉歪みを付与せしめることとなり、適切な身繕いをすることが難しかった。
その上、上記した、いずれの方法でも、必ず視認の死角部分が生じ、経験や勘に頼るか、他人の手を煩わすこととなっていた。
【発明の開示】
【発明が解決しようとする課題】
【０００４】  本発明は上記した事情に鑑みなされたもので、片手作業や無理な操作姿勢をせず、また勘に頼ったり、他人の手を借りずに、美容や着付けに当たっての容姿の身繕いを、容易且つ適切な態様に実施可能とした、美容、着付けの身繕い方法とこれに使用する身繕い用監視装置を提供することを、本発明の解決すべき課題とするものである。
【課題を解決するための手段】
【０００５】  本発明は、上記課題を解決するため以下の如き手段を講ずるものである。
請求項１に係わる発明として、美容、着付けの身繕いに当たって、動画撮影モードのオートフォーカス式デジタル撮像機の撮影レンズと、焦点深度を深く保つ高輝度の照明灯とを、美容、着付けの身繕いするユーザーの人身の所望する目標被写部に向けて配し、前記オートフォーカス式デジタル撮像機の撮像出力信号を、ユーザーの眼前に備えたディスプレイ装置に入力して、該ディスプレイ装置の表示画面に表示される映像を視認しながら、ユーザーが人身の所望する目標部を身繕うことを特徴とする美容、着付けの身繕い方法としたものである。【０００６】  請求項２に係わる発明として、美容、着付けの身繕いは、人身の側面部と後背部の少なくとも１つの身繕いであることを特徴とする請求項１に記載の美容、着付けの身繕い方法としたものである。
請求項３に係わる発明として、動画撮影モードのオートフォーカス式デジタル撮像機は、デジタルカメラとデジタルカメラ内蔵携帯電話のいずれか一つであることを特徴とする請求項１に記載の美容、着付けの身繕い方法としたものである。【０００７】  請求項４に係わる発明として、動画撮影モードのオートフォーカス式デジタル撮像機と、焦点深度を深く保つ高輝度の照明灯とを笠内に着脱可能に配設した撮像集合部を、移動可能なスタンドに、目標彼写部に向けての方向と高さを調整可能に設備してなる撮像装置を、前記オートフォーカス式デジタル撮像機の出力信号を送信するＡＶケーブルによって、表示画面を有するディスプレイ装置に接続してなることを特徴とする身繕い用監視装置としたものである。【０００８】  請求項５に係わる発明として、動画撮影モードのオートフォーカス式デジタル撮像機は、デジタルカメラとデジタルカメラ内蔵携帯電話のいずれか一つであることを特徴とする請求項４に記載の美容、着付けの身繕い用監視装置としたものである。
請求項６に係わる発明として、笠内に着脱可能に配設した撮像集合部のオートフォーカス式デジタル撮像機と、焦点深度を深く保つ高輝度の照明灯とは、照明灯の胴部にオートフォーカス式デジタル撮像機を着脱可能に固定一体化してなることを特徴とする請求項４に記載の美容、着付けの身繕い用監視装置としたものである。
請求項７に係わる発明として、照明灯が蛍光灯と白色発光ダイオード懐中電灯とから選ばれる一つであることを特徴とする請求項４乃至請求項６のいずれか１項に記載の美容、着付けの身繕い用監視装置としたものである。
【発明の効果】
【０００９】  本発明の美容、着付けの身繕い方法にあっては、身繕いをするユーザーの人身の所望する目標被写部に向けて、動画撮影モードのオートフォーカス式デジタル撮像機の撮影レンズと、焦点深度を深く保つ高輝度の照明灯とを配して、その所望する目標被写部を撮像して、その映像をユーザーの眼前にディスプレイ装置の表示画面で表示せしめて、これを視認しながら、容姿の身繕いをするようにしたので、所望する目標彼写部が常に眼前のディスプレイ装置で映写され、無理な姿勢体形をすることなく、監視視認することが出る。このため、目標彼写物の視認に死角が生ずることが無いので、勘に頼ったり、他人の手を煩わせることなく、整髪や帯締め等の美容化粧、着付けの身繕いを適切な状態に容易に行うことが出来る。
特に、後頭部や側頭部の整髪、及び後背部の着付け等の身繕いにおいては、手作業操作が容易になり、その適切な身繕い効果はより一層著しい。【００１０】  又、本発明の美容、着付けの身繕い方法にあっては、動画撮影モードのオートフォーカス式デジタル撮像機を、普く用いられているデジタルカメラとデジタルカメラ内蔵携帯電話のいずれか一つを用いるようにしたので、一般家庭で容易に実施することが出来る。しかも、これらは軽量であるので、移動が容易で、例えば三脚スタンドに固定するようにして、これを適宜所望する人身の目標彼写部に容易に移動して配することが出来、全身に渉る身繕いを手軽に実施することが出来る。【００１１】  その上、これらのデジタルカメラとデジタルカメラ内蔵携帯電話は、動画撮影スチールカメラとして、充分に高精細化性能が具備されていて、高精細化映像性能の大型ディスプレイ装置との共用で、極めて鮮明な画像がディスプレイ装置の表示画面で視認することが出来、身繕いを的確、精細に監視し得て、確実に所望する容姿に身繕いすることが出来る。【００１２】  又、本発明の身繕い用監視装置は、動画撮影モードのオートフォーカス式デジタル撮像機と、焦点深度を深く保つ高輝度の照明灯とを笠内に着脱可能に配設した撮像集合部を、移動可能なスタンドに、目標彼写部に向けての方向と高さを調整可能に設備して撮像装置とし、前記オートフォーカス式デジタル撮像機の出力信号を送信するＡＶケーブルによって、表示画面を有するディスプレイ装置に接続して構成してなることから、身繕いに際する容姿監視に当たって、鏡による反射像視認操作の如き、手作業操作の煩わしさや、身体を不自然で無理な姿勢体形を執ること無く、極めて容易且つ正確に監視できる。しかも死角が生ずる常に所望目標彼写部位を確実に視認することが出来、所望する身繕いを適切且つ容易にすることが出来る。【００１３】  そして、本発明の身繕い用監視装置での、動画撮影モードのオートフォーカス式デジタル撮像には、デジタルカメラとデジタルカメラ内蔵携帯電話の如き軽量で安価な機器を用い、表示画面を有するディスプレイ装置として、一般家庭で広く使用されているテレビジョンを用いればよいので、安価で手軽に設備することが出来る。【００１４】  又、撮像集合部として笠内に着脱可能に配設したオートフォーカス式デジタル撮像機と、焦点深度を深く保つ高輝度の照明灯とは、照明灯の胴部にオートフォーカス式デジタル撮像機を着脱可能に固定一体化して構成することによって、照明灯の光がディスプレイの表示画面を直接照射することが防止され、デジタルカメラの焦点深度を深くする効果と、表示画面にハウリング的効果が生じない状態が確保され、ぼやけの無い鮮明な画像をディスプレイの表示画面に映写せしめ得る効果を奏する。【００１５】  更に、照明灯に白色発光ダイオード懐中電灯を用いて電源を電池化し、ディスプレイ装置を携行テレビジョンや自動車搭載型テレビジョンを用いることで、簡便な可搬型身繕い用監視装置とすることが出来る。
【発明を実施するための最良の形態】
【００１６】  本発明の美容、着付けの身繕い方法を実施するための最良の形態について、図面を参照して説明する。図１は本発明の美容、着付けの身繕い方法の一例を説明するための説明図である。図１において、本発明の美容、着付けの身繕いに当たっては、動画撮影モードのオートフォーカス式デジタル撮像機１と焦点深度を深く保つ高輝度の照明灯２とを、笠３内に着脱可能に配設した撮像集合部４を、移動可能なスタンド５に、目標彼写部に向けての方向と高さを調整可能に設備してなる撮像装置１０によって、前記動画撮影モードのオートフォーカス式デジタル撮像機１の撮影レンズ１ａと焦点深度を深く保つ高輝度の照明灯２とを、美容、着付けの身繕いするユーザーＨの人身の所望する目標被写部Ｐ（図１では後頭部Ｐ１）に向けて配する。そして動画撮影モードのオートフォーカス式デジタル撮像機１で撮像し、発信したデジタルの出力信号を、ＡＶケーブル６によってユーザーＨの眼前に置いたディスプレイ装置７に送信する。そして、図２のディスプレイ装置７の正面図に図示する如く、ディスプレイ装置７の表示画面７ａに表示される前記目標被写部Ｐ（図１では後頭部Ｐ１）の映像Ｑを、ユーザーＨが視認して、前記目標被写部Ｐ（図１では後頭部Ｐ１）の状態を把握しながら、その目標被写部Ｐ（図１では後頭部Ｐ１）を所望する態様に適宜身繕うものである。【００１７】  更に、身繕いする場所が人身の側部、前部である場合は、撮像集合部４を固定したスタンド５をその目標位置に移動して、その目標位置に合わせて、スタンド５を操作して撮像集合部４の高さや、方向を調整して、目標被写部Ｐに対面して配置せしめることにより、適宜身繕いすべき所望する目標彼写部Ｐを、ディスプレイ装置７の表示画面７ａに表示せしめることが出来る。このようにして、表示画面７ａに表示される所望する目標被写部Ｐの映像Ｑを視認して、その目標彼写部Ｐを身繕いすることにより、人身の如何なる部位でも極めて容易に所望する態様に身繕いいすることが出来る。特に目の届かない、人身の側部や後背部の美容、着付け等の容姿の身繕いには、視認監視が確実となり、適切良好な身繕いが容易に出来、その身繕いの適切性や作業性が極めて著しく向上する。【００１８】  以上のような、本発明の美容、着付けの身繕い方法では、ディスプレイ装置７の表示画面７ａに目標被写部Ｐの映像Ｑが画面一杯に表示されるようにするため、動画撮影モードのオートフォーカス式デジタル撮像機１と照明灯２を配設した撮像集合部４の笠３を、目標被写部Ｐに近付けるので、接写に近いに状態になり、焦点深度が浅くなりがちになる。そこで、髪の毛のような精細で厚みのある目標被写部Ｐの接写には、明るい照明灯２で内部まで照らし、オートフォーカスを効かせて深めの焦点深度を確保して、表示画面７ａの全面がボヤケない明瞭な映像Ｑを得るようにすると良い。【００１９】  なお、上記動画撮影モードのオートフォーカス式デジタル撮像機１としては、普く用いられているデジタルカメラやデジタルカメラ内蔵携帯電話を効果的に用いることが出来る。これらは軽量で移動配置が容易であり、そしてデジタルカメラにあっては約５００万画素以上、携帯電話のデジタルカメラでは約２５０万画素以上���動画撮影のスチールカメラとして、充分に高精細化性能を有していて、大型表示画面を有するディスプレイ装置７の表示画面７ａに、極めて鮮明な映像Ｑを表示せしめることが出来る。
又上記ディスプレイ装置７としては、ブラウン管式のほかにプラズマディスプレイパネル式や、カラー液晶ディスプレイのいずれもが、大型画面で精細な性能を有していて、有効に活用することが出来る。【００２０】  更に、上記した照明灯２にあっては、インバータ安定器付蛍光灯（２７ｗ級）や３ｗ級の白色発光ダイオード（ＬＥＤ）を用いて、これをオートフォーカス式デジタル撮像機１と共に一体化して笠３内に搭載することで、光がディスプレイ装置７の表示画面７ａを直接照射せず、かつオートフォーカス式デジタル撮像機１の撮影レンズ１ａに前記表示画面７ａが写らないようにすることができる。これにより、オートフォーカス式デジタル撮像機１の焦点深度を深くする効果と、ディスプレイ装置７の表示画面７ａに映し出される映像Ｑのハウリング的効果が生じない状態を確保することが出来る。又、照明の交流電源によるリップルは、インバータ安定器で、事実上表示画面７ａでの映像に影響を与えない程度とされる。【００２１】  次に、動画撮影モードのオートフォーカス式デジタル撮像機１と、焦点深度を深く保つ高輝度の照明灯２とを笠３内に着脱可能に配設した撮像集合部４を、美容、着付けの身繕いするユーザーＨの人身の所望する目標被写部Ｐ（図１では後頭部Ｐ１）に向けて配するには、以下の通り行う。ユーザーＨの身繕い目標とする人身の側部、前部、後部に応じて、撮像集合部４を取り付けたスタンド５をその位置に移動し、その高さはスタンド５に配した伸縮接ぎ手管５ｃ、５ｃを伸縮調整固定リング５ａによって伸縮調節して行い、更に撮像集合部４の目標被写部への対向角度の調整はスタンド５の上部に配設した可撓管５ｂを操作して行う。なお、符号５ｄは底部の支持台である。なお、このスタンド５としては、カメラ用三脚を有効に用いることができる。【００２２】  更に、撮像装置１０の詳細について図３の正面図を参照して説明する。この図３の撮像装置１０の状態では、スタンド５は伸縮接ぎ手管５ｃを縮納して、可撓管５ｂと支持台５ｄとを直接連結して、高さの低い状態とし、その上部に撮像集合部４の笠３を固定し、机上用又は化粧台用の撮像装置１とした便利な装置として示されている。この場合、可撓管５ｃを直立させて、笠３内には例えばデジタルカメラ又はデジタルカメラ内蔵携帯電話の如き動画撮影モードのオートフォーカス式デジタル撮像機１と例えばインバータ安定器付蛍光灯の如き照明灯２とが、区画壁３ａで分割されて着脱可能に搭載されている。そして前記オートフォーカス式デジタル撮像機１は、携帯用途を主とするものなので、笠３内への搭載は固定が容易且つ確実なマジックテープ８を使用すると良い。【００２３】  上記オートフォーカス式デジタル撮像機１には、ＡＶ出入力端子や電源となるバッテリーのチャージ用端子を備えたマルチ端子１ｂが設けられている。これは通常機器メーカや機種ごとに異なることが多いので、専用のマルチ接続端子とディスプレイに共通するＡＶ接続端子を両端に備えたＡＶケーブル６を配することで、出力信号を笠３内からＡＶ端子９経由でＡＶケーブル６によってディスプレイ装置７に送信される。
しかしながら、前記オートフォーカス式デジタル撮像機１に配されるマルチ端子１ｂは、その規格が統一、標準化されれば、各メーカ専用のマルチ接続端子を備えたＡＶケーブルは不用となり、マルチ端子ソケット及びコンセントを利用した固定方式で、オートフォーカス式デジタル撮像機１を笠３内に固定保持することが出来、上記したマジックテープ８による固定方法は不要となる。【００２４】  更に、スタンド５には可倒式プラグ型デジタル撮像機用バッテリチャージャーコンセント１１が配されていて、オートフォーカス式デジタル撮像機１の不使用時に、この可倒式プラグ型デジタル撮像機用バッテリチャージャーコンセント１１に可倒式プラグ型バッテリチャージャー（図示せず）のプラグを差し込み、ＡＣ１００Ｖを専用規格の電圧に落として、オートフォーカス式デジタル撮像機１のバッテリーを充電する。【００２５】  又、照明灯２として、白色発光ダイオード（３ｗ級）を用い、その電源を電池化すると共に、スタンド５を携帯可能なように小型軽量化し、更にディスプレイ装置７として、ＡＶ入力端子を有する携帯型テレビジョン又は自動車搭載型テレビジョンを使用すれば、可搬型身繕い用監視装置として有効に活用出来る。【００２６】  次に、本発明身繕い用監視装置での撮像装置の別の実施形態を、図４を参照して説明する。図４において図１、図２、及び図３で付した符号と同一符号は共通する同一構成部を示し、詳細な説明は省略する。
この実施形態の撮像装置２０は、照明灯２として、輝度、電池寿命、及び発光体寿命において優れた性能を有し、且つ携行性を強調するため、白色発光ダイオード（３ｗ級）を用いた懐中電灯２１を使用し、この白色発光ダイオード懐中電灯２１の胴部に、その照射光軸と整合するようにカメラの写光軸を配置してオートフォーカス式デジタル撮像機１を、マジックテープ８で着脱可能に一体化して固定し、これを高さが調節可変な三脚２２に装着したものである。【００２７】  上記した撮像装置２０は、オートフォーカス式デジタル撮像機１の撮影レンズ１ａの向きと白色発光ダイオード懐中電灯２１の照射方向を一致させ、三脚２２の高さをユーザーＨの身繕い目標彼写部Ｐの位置に合わせて調節し、ユーザーＨの前・後部、左右側部の所望する目標彼写部Ｐを適宜撮像するものである。そしてこれで発信したデジタル出力信号を図１で説明した如くＡＶケーブル６によりディスプレイ装置７に送信し、表示画面７ａに前記目標彼写部Ｐの映像Ｑを画面一杯に表示し、これを視認監視しながら目標彼写部Ｐの美容、着付け等の身繕いをするものである。なお、映像Ｑは動画像として表示され、その映像Ｑの上・下、左・右は彼写部Ｐを後方から見た儘表示され、身繕い作業の作業性が著しく向上する。【００２８】  なお、上記撮像装置２０にあっては、オートフォーカス式デジタル撮像機１として横幅のあるものを使用する場合は、撮像機１の撮影レンズ１ａの向きと白色発光ダイオード懐中電灯２１の照射方向を、目標彼写部Ｐに向けて一致させて配する必要があるため、オートフォーカス式デジタル撮像機１と白色発光ダイオード懐中電灯２１とを、それぞれ同一方向に向けて水平小片板台上に、ねじ、マジックテープ、及びクリップ等の固定具で着脱可能に固定一体化し、この一体化した水平小片板台を三脚２２に固定ねじ等によって取り付けることで、可搬携行性の優れた装置として、極めて実用的で有効に利用出来る。特に三脚２２を携帯可能なように小型軽量化し、更にディスプレイ装置７に、ＡＶ入力端子を有する携帯型テレビジョン又は自動車搭載型テレビジョンを使用すれば、簡便な可搬携行型身繕い用監視装置として有効に活用出来る。
【産業上の利用可能性】
【００２９】  本発明の美容、着付けの身繕い方法とこれに使用する身繕い用監視装置は、上記した如く所望する目標彼写部が常に眼前のディスプレイ装置で映写され、無理な姿勢体形をすることなく、監視視認することが出る。このため、目標彼写物の視認に死角が生ずることが無いので、勘に頼ったり、他人の手を煩わせることなく、整髪や帯締め等の美容化粧、着付けの身繕いを適切な状態に容易に行うことが出来る。
特に、後頭部や側頭部の整髪、及び後背部の着付け等の身繕いにおいては、手作業操作が容易になり、その適切な身繕い効果はより一層著しい。【００３０】  又、動画撮影モードのオートフォーカス式デジタル撮像機を、普く用いられているデジタルカメラとデジタルカメラ内蔵携帯電話のいずれか一つを用いるようにしたので、一般家庭で容易に実施することが出来る。しかも、これらは軽量であるので、移動が容易で、例えば三脚スタンドに固定して、これを適宜所望する人身の目標彼写部に容易に移動して配することが出来、全身に渉る身繕いを手軽に実施することが出来る。【００３１】  その上、これらのデジタルカメラとデジタルカメラ内蔵携帯電話は、動画撮影スチールカメラとして、充分に高精細化性能が具備されていて、高精細化映像性能の大型ディスプレイ装置との共用で、極めて鮮明な画像がディスプレイ装置の表示画面で視認することが出来、身繕いを的確、精細に監視し得て、確実に所望する容姿に身繕いすることが出来る。【００３２】  又、本発明の身繕い用監視装置は、身繕いに際する容姿監視に当たって、鏡による反射像視認操作の如き、手作業操作の煩わしさや、身体を不自然で無理な姿勢体形を執ること無く、極めて容易且つ正確に監視できる。しかも死角が生ずる常に所望目標彼写部位を確実に視認することが出来、所望する身繕いを適切且つ容易にすることが出来て、美容、着付け等の容姿の身繕いに、極めて有効に利用し得る。【００３３】  そして、動画撮影モードのオートフォーカス式デジタル撮像には、デジタルカメラとデジタルカメラ内蔵携帯電話の如き軽量で安価な機器を用い、表示画面を有するディスプレイ装置として、一般家庭で広く使用されているテレビジョンを用いればよいので、安価で手軽に設備することが出来る。
しかも、上記デジタルカメラとデジタルカメラ内蔵携帯電話は軽量であるので、移動が容易で、例えば三脚スタンドに固定して、これを適宜所望する人身の目標彼写部に容易に移動して配することが出来、全身に渉る身繕いを手軽に実施することが出来る。【００３４】  更に、照明灯に白色発光ダイオード懐中電灯を用いて電源を電池化し、ディスプレイ装置を携行テレビジョンや自動車搭載型テレビジョンを用いることで、簡便な可搬型身繕い用監視装置として提供することが出来る。【００３５】  又、撮像集合部としてオートフォーカス式デジタル撮像機と、焦点深度を深く保つ高輝度の照明灯とは、照明灯の胴部にオートフォーカス式デジタル撮像機を着脱可能に固定一体化して構成することによって、照明灯の光がディスプレイの表示画面を直接照射することが防止され、デジタルカメラの焦点深度を深くする効果と、表示画面にハウリング的効果が生じない状態が確保され、ぼやけの無い鮮明な画像をディスプレイの表示画面に映写せしめ得る効果を奏し、理髪や美容店等の営業に広く有効活用することが出来る。
【図面の簡単な説明】
【００３６】
【図１】  本発明の美容、着付けの身繕い方法の一例を説明する説明図。
【図２】  本発明に用いるディスプレイ装置の正面図。
【図３】  本発明に用いる撮像装置の一例の正面図。
【図４】  本発明に用いる撮像装置の別の実施形態の説明図。
【符号の説明】
【００３７】１０、２０…撮像装置、  １…動画撮影モードのオートフォーカス式デジタル撮像機、  １ａ…撮影レンズ、  １ｂ…マルチ端子、  ２…照明灯、  ３…笠、  ４…撮像集合部、  ５…スタンド、  ５ａ…伸縮調整固定リング、  ５ｂ…可撓管、  ５ｃ…伸縮接ぎ手管、  ５ｄ…支持台、  ６…ＡＶケーブル、  ７…ディスプレイ装置、  ７ａ…表示画面、  ８…マジックテープ、
１１…可倒式プラグ型デジタル撮像機用バッテリチャージャーコンセント、
２１…白色発光ダイオード懐中電灯、  ２２…三脚、
Ｈ…ユーザー、  Ｐ…目標被写部、  Ｑ…映像
【図１】
2006352815.tif 000003
【図２】
2006352815.tif 000004
【図３】
2006352815.tif 000005
【図４】
2006352815.tif 000006